【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
複数の画像を表示する表示手段と、
前記表示手段に表示された複数の画像のうちのユーザにより選択された複数の画像に対応する画像を生成する生成手段と、
前記表示手段に表示されている画像とともに、前記生成手段によって生成された複数の画像であって前記表示手段に表示されていない画像に対応する画像を少なくとも１つ含む複数の画像を前記表示手段に表示させる表示制御手段と、
前記生成手段に生成されて前記表示手段に表示されている複数の画像のうちのユーザにより選択された画像に対応する画像データに基づく印刷を印刷装置に実行させる印刷制御手段と、を備えることを特徴とする表示装置。
【請求項２】
前記生成手段は、前記表示手段に表示されるボタンがユーザの操作により押下された場合に、前記表示手段に表示されている画像に対応する画像を生成する、ことを特徴とする請求項１に記載の表示装置。
【請求項３】
前記表示制御手段は、ユーザからの指示に従って、前記表示手段に画像が表示されている状態で、前記生成手段に生成された当該画像に対応する画像を非表示にする、ことを特徴とする請求項１又は２に記載の表示装置。
【請求項４】
前記画像に対応する画像データは、前記表示手段に表示されている画像に対応する画像データである、ことを特徴とする請求項１乃至３の何れか１項に記載の表示装置。
【請求項５】
前記画像に対応する画像データは、前記表示手段に表示されている画像に対応する画像データから生成された印刷用の画像データである、ことを特徴とする請求項１乃至３のいずれか１項に記載の表示装置。
【請求項６】
前記表示制御手段は、前記表示手段に前記複数の画像を切り替えて表示させる、ことを特徴とする請求項１乃至５のいずれか１項に記載の表示装置。
【請求項７】
ユーザの指示に従って、前記表示手段に表示されている複数の画像の全てを選択する全選択手段をさらに備える、ことを特徴とする請求項１乃至６のいずれか１項に記載の表示装置。
【請求項８】
ユーザの指示に従って、ユーザにより選択された画像の全ての選択を解除する全解除手段をさらに備える、ことを特徴とする請求項１乃至７のいずれか１項に記載の表示装置。
【請求項９】
ユーザの指示に従って、前記表示手段に表示されている複数の画像の選択及び解除を前記画像毎に実行する選択・解除手段をさらに備える、ことを特徴とする請求項１乃至８のいずれか１項に記載の表示装置。
【請求項１０】
前記表示手段に表示されるボタンがユーザの操作により押下された場合に、前記表示手段に表示される画像に対応する画像データを外部から受信する受信手段をさらに備えることを特徴とする請求項１乃至９のいずれか１項に記載の表示装置。
【請求項１１】
複数の画像を表示手段に表示する表示ステップと、
前記表示手段に表示された複数の画像のうちのユーザにより選択された複数の画像に対応する画像を生成する生成ステップと、
前記表示手段に表示されている画像とともに、前記生成ステップで生成された複数の画像であって前記表示手段に表示されていない画像に対応する画像を少なくとも１つ含む複数の画像を前記表示手段に表示させる表示制御ステップと、
前記生成ステップで生成されて前記表示手段に表示されている複数の画像のうちのユーザにより選択された画像に対応する画像データに基づく印刷を印刷装置に実行させる印刷制御ステップと、を有することを特徴とする制御方法。
【請求項１２】
複数の画像を表示する表示手段を有する表示装置のコンピュータにより読み取り可能なプログラムであって、
前記表示手段に表示された複数の画像のうちのユーザにより選択された複数の画像に対応する画像を生成する生成ステップと、
前記表示手段に表示されている画像とともに、前記生成ステップで生成された複数の画像であって前記表示手段に表示されていない画像に対応する画像を少なくとも１つ含む複数の画像を前記表示手段に表示させる表示制御ステップと、
前記生成ステップで生成されて前記表示手段に表示されている複数の画像のうちのユーザにより選択された画像に対応する画像データに基づく印刷を印刷装置に実行させる印刷制御ステップと、をコンピュータに実行させるためのプログラム。
【請求項１３】
前記生成ステップにおいて、前記表示手段に表示されているボタンがユーザの操作により押下された場合に、前記表示手段に表示されている画像に対応する画像を生成させるようにコンピュータを制御することを特徴とする、請求項１２に記載のプログラム。
【請求項１４】
ユーザからの指示に従って、前記表示手段に画像が表示されている状態で、前記生成ステップで生成された当該画像に対応する画像を非表示にするようにコンピュータを制御することを特徴とする、請求項１２又は１３に記載のプログラム。
【請求項１５】
前記印刷制御ステップにおいて、前記画像に対応する画像データとして、前記表示手段に表示されている画像に対応する画像データを用いて、前記印刷装置に印刷を実行させるようにコンピュータを制御することを特徴とする、請求項１２乃至１４のいずれか１項に記載のプログラム。
【請求項１６】
前記印刷制御ステップにおいて、前記画像に対応する画像データとして、前記表示手段に表示されている画像に対応する画像データから生成された印刷用の画像データを用いて、前記印刷装置に印刷を実行させるようにコンピュータを制御することを特徴とする、請求項１２乃至１４のいずれか１項に記載のプログラム。
【請求項１７】
前記複数の画像が前記表示手段に切り替えて表示されるようコンピュータを制御することを特徴とする、請求項１２乃至１６のいずれか１項に記載のプログラム。
【請求項１８】
ユーザの指示に従って、前記表示手段に表示されている複数の画像の全てを選択する全選択ステップを、さらにコンピュータに実行させるための請求項１２乃至１７のいずれか１項に記載のプログラム。
【請求項１９】
ユーザの指示に従って、ユーザにより選択された画像の全ての選択を解除する全解除ステップを、さらにコンピュータに実行させるための請求項１２乃至１８のいずれか１項に記載のプログラム。
【請求項２０】
ユーザの指示に従って、前記表示手段に表示されている複数の画像の選択及び解除を前記画像毎に実行する選択・解除ステップを、さらにコンピュータに実行させるための請求項１２乃至１９のいずれか１項に記載のプログラム。
【請求項２１】
前記表示手段に表示されるボタンがユーザの操作により押下された場合に、前記表示手段に表示される画像に対応する画像データを外部から受信する受信ステップを、さらにコンピュータに実行させるための請求項１２乃至２０のいずれか１項に記載のプログラム。
【請求項２２】
複数の画像を表示する表示手段と、
前記表示手段に表示されている画像とともに、前記表示手段に表示された複数の画像のうちのユーザにより選択された複数の画像に対応する複数の画像であって前記表示手段に表示されていない画像に対応する画像を少なくとも１つ含む複数の画像を前記表示手段に表示させる表示制御手段と、
前記表示手段に表示されている複数の画像のうちのユーザにより選択された画像に対応する画像データに基づく印刷を印刷装置に実行させる印刷制御手段と、を備えることを特徴とする表示装置。
【請求項２３】
前記表示制御手段は、ユーザからの指示に従って、前記表示手段に画像が表示されている状態で、前記表示手段に表示された複数の画像のうちのユーザにより選択された複数の画像を非表示にする、ことを特徴とする請求項２２に記載の表示装置。
【請求項２４】
前記画像に対応する画像データは、前記表示手段に表示されている画像に対応する画像データである、ことを特徴とする請求項２２又は２３に記載の表示装置。
【請求項２５】
前記画像に対応する画像データは、前記表示手段に表示されている画像に対応する画像データから生成された印刷用の画像データである、ことを特徴とする請求項２２又は２３に記載の表示装置。
【請求項２６】
前記表示制御手段は、前記表示手段に前記複数の画像を切り替えて表示させる、ことを特徴とする請求項２２乃至２５のいずれか１項に記載の表示装置。
【請求項２７】
ユーザの指示に従って、前記表示手段に表示されている複数の画像の全てを選択する全選択手段をさらに備える、ことを特徴とする請求項２２乃至２６のいずれか１項に記載の表示装置。
【請求項２８】
ユーザの指示に従って、ユーザにより選択された画像の全ての選択を解除する全解除手段をさらに備える、ことを特徴とする請求項２２乃至２７のいずれか１項に記載の表示装置。
【請求項２９】
ユーザの指示に従って、前記表示手段に表示されている複数の画像の選択及び解除を前記画像毎に実行する選択・解除手段をさらに備える、ことを特徴とする請求項２２乃至２８のいずれか１項に記載の表示装置。
【請求項３０】
前記表示手段に表示されるボタンがユーザの操作により押下された場合に、前記表示手段に表示される画像に対応する画像データを外部から受信する受信手段をさらに備えることを特徴とする請求項２２乃至２９のいずれか１項に記載の表示装置。
【請求項３１】
複数の画像を表示手段に表示する表示ステップと、
前記表示手段に表示されている画像とともに、前記表示手段に表示された複数の画像のうちのユーザにより選択された複数の画像に対応する複数の画像であって前記表示手段に表示されていない画像に対応する画像を少なくとも１つ含む複数の画像を前記表示手段に表示させる表示制御ステップと、
前記表示手段に表示されている複数の画像のうちのユーザにより選択された画像に対応する画像データに基づく印刷を印刷装置に実行させる印刷制御ステップと、を有することを特徴とする制御方法。
【請求項３２】
複数の画像を表示する表示手段を有する表示装置のコンピュータにより読み取り可能なプログラムであって、
複数の画像を表示手段に表示する表示ステップと、
前記表示手段に表示されている画像とともに、前記表示手段に表示された複数の画像のうちのユーザにより選択された複数の画像に対応する複数の画像であって前記表示手段に表示されていない画像に対応する画像を少なくとも１つ含む複数の画像を前記表示手段に表示させる表示制御ステップと、
前記表示手段に表示されている複数の画像のうちのユーザにより選択された画像に対応する画像データに基づく印刷を印刷装置に実行させる印刷制御ステップと、をコンピュータに実行させるためのプログラム。